(57)【要約】【課題】レンズ効果を利用して、従来にはない新しい装飾効果を奏することができる装飾体を提供する。【解決手段】略レンズ形状のカバー部材１の内部に反射部材２を設ける。該カバー部材１の断面形状を凸状又は凹状又は凹凸状に形成する。該カバー部材１は、内部に収納凹部３が形成され、該収納凹部３に反射部材２と共に充填物４を充填する。該カバー部材１の凹凸の湾曲率によって反射部材２の反射方向を設定するように設ける。該カバー部材１及び充填物４は、ＵＶ硬化樹脂、ＡＢＳ樹脂、ＡＳ樹脂、のいずれかで設ける。また、反射部材２は、ラメ材、パール材、紙材、布材、金属蒸着材、ビーズ材、蒸着樹脂フィルム材のいずれか又はこれらの組み合わせにより設ける。【選択図】  図１
2008114449.tif 000002
【特許請求の範囲】
【請求項１】
略レンズ形状のカバー部材の内部に反射部材を設け、該カバー部材の断面形状を凸状又は凹状又は凹凸状に形成し、該カバー部材の湾曲率の加減によって反射部材の反射方向を設定するように設けたことを特徴とする装飾体。
【請求項２】
前記カバー部材は、ＡＢＳ樹脂、ＡＳ樹脂、エポキシ樹脂、アクリル樹脂、ＰＥＴ樹脂などの透明若しくは半透明の樹脂のいずれかで設けられた請求項１記載の装飾体。
【請求項３】
前記反射部材は、ラメ材、パール材、紙材、布材、樹脂若しくは金属蒸着材、蒸着樹脂フィルム材のいずれか又はこれらの組み合わせにより設けられた請求項１又は２記載の装飾体。
【請求項４】
前記カバー部材は、内部に収納凹部が形成され、該収納凹部に前記反射部材と共に充填物が充填された請求項１乃至３いずれか記載の装飾体。
【請求項５】
前記充填物は、ＵＶ硬化樹脂、ＡＢＳ樹脂、ＡＳ樹脂、ポリウレタン樹脂、エポキシ樹脂などの透明若しくは半透明の硬化形樹脂のいずれかが選択され、前記収納凹部に前記反射部材が固定された請求項４記載の装飾体。
【請求項６】
前記充填物は、水溶液、オイルなどの液体が選択され、前記収納凹部内で前記反射部材が移動可能に設けられた請求項４記載の装飾体。
【請求項７】
前記反射部材は、前記カバー部材の材料に予め練り込まれている請求項１乃至６いずれか記載の装飾体。
【請求項８】
前記カバー部材は、ベース部材の表面に設けられ、該ベース部材の表面に多数の凹凸からなる乱反射面を形成した請求項１乃至７いずれか記載の装飾体。
【請求項９】
前記反射部材の下面又は前記ベース部材の表面に、反射フィルムを配置し、前記反射部材の反射と反射フィルムの反射とを合成させるように設けた請求項１乃至８いずれか記載の装飾体。
【請求項１０】
前記反射部材の下面又は前記ベース部材の表面に、着色シートを配置して前記反射部材に着色を施すように設けた請求項１乃至８いずれか記載の装飾体。
【請求項１１】
前記カバー部材は、押出成形、射出成形、ポッティングのいずれかの手段にて設けられた請求項１乃至１０いずれか記載の装飾体。
【発明の詳細な説明】
【技術分野】
【０００１】
本発明は、ＡＢＳ樹脂やＵＶ硬化樹脂などの透明若しくは半透明の樹脂によるレンズ効果を利用する装飾体に係り、たとえばスティック状容器や化粧品容器、ガラス若しくは合成樹脂製ボトルなどのあらゆる容器の装飾、キャップ、コンパクトケースの天板、宝石箱など雑貨の装飾、スプーンなどの食器の装飾、装身具、ディスプレイ、ルアーなどの装飾に使用することが可能な装飾体に関するものである。
【背景技術】
【０００２】
樹脂等のレンズ効果を利用した装飾体は、多くのものが提案されている。たとえば特許文献１には、所定量の液状ポリウレタン組成物を薄くて平坦な装飾基板上に注型し、次いでそのポリウレタン組成物を硬化させて前記装飾基板にレンズ効果を与える装飾記章の製造方法が記載されている。
【０００３】
特許文献２に記載された装飾モールディングの製造方法では、基体の上面にＵＶ硬化樹脂を流延し、さらに紫外線を照射して樹脂を硬化せしめるものである。この方法によると、上面に、薄く艶のあるガラス様のクリアーな表面をもったモールディングを設けることができる。
【０００４】
特許文献３に記載された装飾物は、絵柄パターンを数倍に拡大する装飾印刷物に関するもので、レンズ状凸部層の反対の透明層に、微細凸部パターン層を形成し、該微細凸部パターン層上に絵柄パターン層を形成したものである。
【特許文献１】特公昭６０−４２０１１号公報
【特許文献２】特公平４−２１５６８号公報
【特許文献３】特開２００４―１８８６９９号公報
【発明の開示】
【発明が解決しようとする課題】
【０００５】
ところが、特許文献1に記載された方法により製造することのできる装飾物は、薄くて平坦な装飾基板上に液状ポリウレタン組成物を注型し、次いでそのポリウレタン組成物を硬化させて前記装飾基板にレンズ効果を与えるものであるから、装飾基板上の装飾パターンを拡大することはできても、レンズ効果を利用したその他の反射効果や装飾効果を利用することは困難であった。
【０００６】
また、特許文献２に記載の装飾モールディングの製造方法では、基体の上面にＵＶ硬化樹脂を流延し、さらに紫外線を照射して樹脂を硬化せしめるものであるから、押出成形に比べてガラス様のクリアーな表面を薄く形成することが可能であるが、やはり、特許文献１と同様に、基体上面のレンズ効果を利用した特殊な反射効果や装飾効果を利用することができない。
【０００７】
更に、特許文献３では、レンズ状凸部層の反対の透明層に、微細凸部パターン層を形成し、該微細凸部パターン層上に絵柄パターン層を形成したものであるから、絵柄パターンを数倍に拡大することは可能でも、レンズ状凸部層を通した絵柄パターンの表示手段を変更することはできない。
【０００８】
そこで、本発明では、上述の課題を解消すべく創出されたもので、レンズ効果を利用して、従来にない特殊効果や新しい装飾効果を奏することができる装飾体の提供を目的とするものである。
【課題を解決するための手段】
【０００９】
上述の目的を達成すべく本発明における第１の手段は、略レンズ形状のカバー部材１の内部に反射部材２を設け、該カバー部材１の断面形状を凸状又は凹状又は凹凸状に形成し該カバー部材１の湾曲率の加減によって反射部材２の反射方向を設定するように設けたことにある。
【００１０】
第２の手段の前記カバー部材１は、ＡＢＳ樹脂、ＡＳ樹脂、エポキシ樹脂、アクリル樹脂、ＰＥＴ樹脂などの透明若しくは半透明の樹脂のいずれかで設けられている。
【００１１】
第３の手段において、前記反射部材２は、ラメ材、パール材、紙材、布材、樹脂若しくは金属蒸着材、蒸着フィルム材のいずれか又はこれらの組み合わせにより設けるものである。
【００１２】
第４の手段の前記カバー部材１は、内部に収納凹部３が形成され、該収納凹部３に前記反射部材２と共に充填物４が充填される。
【００１３】
第５の手段において、前記充填物４は、ＵＶ硬化樹脂、ＡＢＳ樹脂、ＡＳ樹脂、ポリウレタン樹脂、エポキシ樹脂などの透明若しくは半透明の硬化形樹脂のいずれかが選択され、前記収納凹部３に前記反射部材２が固定されたものである。
【００１４】
第６の手段において、前記充填物４は、水溶液、オイルなどの液体が選択され、前記収納凹部３内で前記反射部材２が移動可能に設けられたものである。
【００１５】
第７の手段の前記反射部材２は、前記カバー部材１の材料に予め練り込まれているものとする。
【００１６】
第８の手段の前記カバー部材１は、ベース部材５の表面に設けられ、該ベース部材５の表面に多数の凹凸からなる乱反射面６を形成したものである。
【００１７】
第９の手段において、前記反射部材２の下面又は前記ベース部材５の表面に、反射フィルム７を配置し、前記反射部材２の反射と反射フィルム７の反射とを合成させるように設けている。
【００１８】
第１０の手段は、前記反射部材２の下面又は前記ベース部材５の表面に、着色シート８を配置して前記反射部材２に着色を施すように設ける。
【００１９】
第１１の手段において、前記カバー部材１は、押出成形、射出成形、ポッティングのいずれかの手段にて設けられたことを課題解消のための手段とする。
【発明の効果】
【００２０】
本発明の請求項１乃至３によると、略レンズ形状のカバー部材１の内部に反射部材２を設け、該カバー部材１のレンズ形状を調節して屈曲率の加減によって反射部材２の反射方向を設定するように設けたことにより、これまでには得られなかった新しい装飾効果を奏するものになった。
【００２１】
また、請求項４乃至６により、カバー部材１の断面凹凸形状に加え、カバー部材１内部の収納凹部３との組み合わせにより、より複雑な反射効果を奏するものになる。しかも、収納凹部３を設けることで、カバー部材１の材料を少なくすることができ、その分、カバー部材１の充填物４の硬化時間を短縮することも可能になった。
【００２２】
更に、請求項７、請求項８によると、カバー部材１自体の反射部材２による反射効果やベース部材５の乱反射面６から得られる反射効果を伴った装飾が可能になるものである。
【００２３】
そして、請求項９、１０によると、前記反射部材２の反射効果に加え、反射フィルム７や着色シート８との相乗効果により、更に変化に富んだ装飾を演出することができる。  
【００２４】
更に、請求項１１の如く、カバー部材１は、押出成形、射出成形、ポッティングのいずれかの手段にて設けられるので、被装飾物の成形手段に応じて本発明装飾体の成形手段を任意に変更することが可能である。この結果、製品に対して最適な装飾を施すことができる。
【００２５】
このように本発明によると、レンズ効果、反射および乱反射を利用して、従来にはない特殊な効果や新しい装飾効果を奏し、しかも、カバー部材１の材料を少なくすると共に、充填物４の硬化時間を短縮することもできるなどといった種々の効果を奏するものである。
【発明を実施するための最良の形態】
【００２６】
本発明装飾体の最良の形態は、略レンズ形状のカバー部材１の内部に反射部材２を設け、該カバー部材１の断面形状を凸状又は凹状又は凹凸状に形成する。該カバー部材１は、内部に収納凹部３が形成され、該収納凹部３に反射部材２と共に充填物４を充填する。該カバー部材１の凹凸の湾曲率によって反射部材２の反射方向、拡大率を設定するように設ける。該カバー部材１は、ＡＢＳ樹脂、ＡＳ樹脂、エポキシ樹脂、アクリル樹脂、ＰＥＴ樹脂などの透明若しくは半透明の樹脂のいずれかで設ける。充填物４は、ＵＶ硬化樹脂、ＡＢＳ樹脂、ＡＳ樹脂、ポリウレタン樹脂、エポキシ樹脂などの透明若しくは半透明の硬化形樹脂のいずれかで設ける。また、反射部材２は、ラメ材、パール材、紙材、布材、樹脂若しくは金属蒸着材、蒸着フィルム材のいずれか又はこれらの組み合わせにより設けることで、当初の目的を達成するものである。
【実施例】
【００２７】
以下、本発明の一実施例を説明する。本発明装飾体は、略レンズ形状のカバー部材１の断面形状を利用して、カバー部材１内部に封入した反射部材２の反射方向、拡大率を任意に設定するものである。すなわち、カバー部材１の断面形状は、凸状又は凹状又は凹凸状に形成しているそして、押出成形手段、射出成形手段、注型手段（ポッティング）等によりこれらカバー部材１の凹凸形状を決定する際に、凹凸形状の屈曲率、拡大率を加減し、デザイン上、求められる見え方に対応して反射部材２の反射方向、拡大率を任意に設定するものである。
【００２８】
これらのカバー部材１は、ＡＢＳ樹脂、ＡＳ樹脂、エポキシ樹脂、アクリル樹脂、PET樹脂などの透明若しくは半透明の樹脂のいずれかが好適であるが、この他の硬化剤を利用することも可能である。たとえば、液体あるいは溶液の状態で用いられ、硬化後に透明あるいは半透明の樹脂層を形成することができるものでカバー部材１を形成する。図１に示すカバー部材１は、表面が平面状を成し、周囲に肉厚部分を有する凸状を成している。また、図２に示すカバー部材１は、表面が丸みを帯びた凸状で、図３に示すカバー部材１は、表面に凹凸形状を有している。このように、カバー部材１が有する凹凸の屈曲率や湾曲形状、あるいは後述する収納凹部３の凹凸形状等により、デザイン上、求められる見え方に対応して反射部材２の反射方向や拡大率を任意に設定するものである。
【００２９】
反射部材２はカバー部材１の内部に封入される部材であり、たとえば、ラメ材、パール材、紙材、布材、樹脂若しくは金属蒸着材、蒸着フィルム材のいずれか又はこれらを組み合わせて使用するのが好適である。もっとも、この他の材料を反射材として利用することも可能である。この反射部材２は、たとえば予めカバー部材１の材料に予め練り込んだり、カバー部材１の内部に形成された収納凹部３に充填したり、これらを組み合わせる手段がある。
【００３０】
図１乃至図５に示す反射部材２は、いずれも収納凹部３に充填している。この収納凹部３は、たとえば押出成形、射出成形等により形成し、収納凹部３形成後に充填物４と共に反射部材２が充填される。この充填物４として、たとえばＵＶ硬化樹脂、ＡＢＳ樹脂、ＡＳ樹脂、ポリウレタン樹脂、エポキシ樹脂などの透明若しくは半透明の硬化形樹脂のいずれかを選択すると、収納凹部３に反射部材２が固定された状態で封入される（図１乃至４参照）。また、この他の硬化剤を充填物４として利用することも可能である。
【００３１】
一方、充填物４として、水などの水溶液やオイルなどの粘性液体等を選択すると、前記収納凹部３内で前記反射部材２が移動可能に設けられる（図５参照）。このとき、充填物４の流出を防止するために、収納凹部３の開口部をベース部材５で封止している。
【００３２】
また、図４に示す収納凹部３は、カバー部材１がわに凹凸を設けている。このような収納凹部３の凹凸形状によっても反射部材２の反射方向を変化させることができるものである。
【００３３】
図６に示すカバー部材１は、ベース部材５の表面に設けられている。このベース部材５の表面には、多数の凹凸からなる乱反射面６を形成している。また、カバー部材１の材料には、予め反射部材２を練りこんでいる。このようなカバー部材１は、ベース部材５の表面に、ポッティング手段又は射出成形手段にて設けることができる。
【００３４】
図７に示す符号７は、反射板である。この反射フィルム７は、反射部材２の下面又は前記ベース部材５の表面に配置するもので、反射部材２の反射と、この反射フィルム７の反射とを合成させることで、反射効果に相乗効果を与えるものである。この反射フィルム７として、光沢のあるフィルム材が用いられる。また、反射フィルム７を平面状で使用する場合は、フィルム材に代えてシート材を利用することも可能である。
【００３５】
図８に示す符号８は、着色シート８である。この着色シート８は、前記反射フィルム７と同様に、反射部材２の下面又は前記ベース部材５の表面に配置するもので、反射部材２が反射する背景の色や、反射色を適宜変更させるのに使用するものである。この着色シート８には、光沢のないシート材や紙などを使用することができる。また、フィルム材を利用して、反射部材２の下面やベース部材５の表面の凹凸に合わせることも可能である。
【００３６】
本発明装飾体の利用方法は、たとえばスティック状容器や化粧品容器、ガラス若しくは合成樹脂製ボトルなどのあらゆる容器の装飾、キャップ、コンパクトケースの天板、宝石箱などの雑貨の装飾、スプーンなどの食器の装飾、宝石箱などの雑貨の装飾、ブローチやイヤリング等の装身具、宣伝広告等に用いるディスプレイ関連商品、ルアーなどの遊戯具など、あらゆる装飾に使用することが可能である。この際、各種製品の成型手段や被装飾物の材質等に応じて、押出成形、射出成形、ポッティングのいずれかの手段でカバー部材１を設けるものである。
【００３７】
尚、本発明は、図示例に限定されるものではなく、カバー部材１や収納凹部３の形状や成形手段、あるいは反射部材２やカバー部材１の材質や成形手段などは、本発明の要旨を変更しない範囲において自由に変更できるものである。
【図面の簡単な説明】
【００３８】
【図１】本発明の一実施例を示す側断面図である。
【図２】本発明の他の実施例を示す側断面図である。
【図３】本発明の他の実施例を示す側断面図である。
【図４】本発明の他の実施例を示す側断面図である。
【図５】本発明の他の実施例を示す側断面図である。
【図６】本発明の他の実施例を示す側断面図である。
【図７】本発明の他の実施例を示す側断面図である。
【図８】本発明の他の実施例を示す側断面図である。
【符号の説明】
【００３９】
１  カバー部材
２  反射部材
３  収納凹部
４  充填物
５  ベース部材
６  乱反射面
７  反射板
８  着色板
【図１】
2008114449.tif 000003
【図２】
2008114449.tif 000004
【図３】
2008114449.tif 000005
【図４】
2008114449.tif 000006
【図５】
2008114449.tif 000007
【図６】
2008114449.tif 000008
【図７】
2008114449.tif 000009
【図８】
2008114449.tif 000010